(57)【要約】      （修正有）【課題】コストダウンを図り、メンテナンスの容易なパチンコ遊技機の提供をする。【解決手段】遊技盤１１の遊技盤装置は、外蝶番部５１と中央に蝶番部４５を設け、上部の外蝶番部５１は製造工程において上止着部６２を止着し開閉自在の状態にして配線等の作業を簡便に行うことが可能となり、中央部の開閉扉３７は、図柄表示装置２５を囲んで蝶番部４５から開閉可能であり営業中のトラブルの対処には、開閉扉３７のロック装置３８を外せば中央窓である開閉扉３７が開閉可能となり玉詰まり等のメンテナンスを容易に行うことができる。【選択図】図９
2008023356.tif 000002
【特許請求の範囲】
【請求項１】
プラスチック製であり、入賞口に入賞した遊技球を集合させて入賞検出器へ誘導するためのリブを備え、遊技盤の裏面に装着される遊技盤装置において、
前記入賞検出器に接続される制御ハーネスを覆って前記遊技盤装置の背面に固定される制御線樋を設けた
ことを特徴とする弾球遊技機の遊技盤装置。
【請求項２】
請求項１記載の弾球遊技機の遊技盤装置において、
前記制御ハーネスに設けられるコネクタを内部に納めて前記遊技盤装置の背面に固定されるコネクタ自動挿入部を設けた
ことを特徴とする弾球遊技機の遊技盤装置。
【発明の詳細な説明】
【技術分野】
【０００１】
本発明は、パチンコ遊技機やアレンジボール遊技機等の弾球遊技機に設けられる遊技盤装置に関する。
【背景技術】
【０００２】
従来の遊技盤の裏に設けられる入賞球通路や遊技制御基盤の取付台座となる遊技盤装置は、一体構造でその回りを遊技盤にビス等で固着され、その遊技制御基盤の取付台座はスライド装置と称し、このスライド装置を遊技盤装置にビスで固定されている。このスライド装置のレールに遊技制御基盤が着脱可能に取り付けられ、さらにはスライド装置から遊技制御基盤が脱落しないようにビスやスプリングで固着されている。
【０００３】
制御基盤を取り付けると、これに対してコネクタの付いたハーネスをこの制御基盤に差し込まれ、容易にハーネスの着脱ができるようになっている。
遊技盤の表には入賞口や風車等が取り付けられ、特に大入賞口が設けられる第一種特別電動役物付遊技機（以後第一種と称す）や第二種特別電動役物付遊技機（以後第二種と称す）等は、その構造から遊技球の連珠結といって玉詰まり現象が生じやすく、入賞球の通路に通路と同じ長さや角度の溝が設けられつつき棒での連珠結を崩せるように横溝の設置の提案もされている。
【０００４】
また、遊技制御基盤の着脱はハーネスが容易に抜き差しができるようにそのハーネスの長さも長めにされていて、だれでも簡単に遊技制御基盤の交換ができるようになっている。
【０００５】
特公平５−２２１６に開示されているように遊技盤装置はビスで固定され入賞した遊技球が内部を各々の立直リブや誘導用のＬレールに導かれ入賞検出装置に流れるようにされているものや、実公平６−１４４に開示されるように遊技盤装置全体を機構盤に設けたヒンジにより右方向の開放する方法で、遊技盤の裏側に入賞球の案内リブを設けたものもある。また遊技盤に設けられる入賞具にはランプやソレノイドといった電気部分が設けられ特許第１８０３３６５号に開示されるような配線の接続方法がある。
【特許文献１】特公平５−２２１６号公報
【特許文献２】実公平６−１４４号公報
【特許文献３】特許第１８０３３６５号公報
【発明の開示】
【発明が解決しようとする課題】
【０００６】
しかしながら、特許文献２に開示される開閉扉方式であると、遊技盤装置を開放するとき電気制御基盤をまず回動開放するが接続される回路基盤のハーネスが回動範囲の長さにしてあり、電気制御基盤を閉鎖すると回路基盤のハーネスにたるみが生じる。何らかの方法でこのたるみを寄せればよいが、回路基盤のハーネスを長くすると回路基盤のハーネスとの間に通称ぶら下げ基盤といって、大当たり等の発生しやすい基盤を設けるといった不正行為ができるようになる。
【０００７】
上記した欠点に鑑み本発明はなされたものであり、優れた遊技盤装置を提供するものである。
【課題を解決するための手段】
【０００８】
請求項１に記載の弾球遊技機の遊技盤装置は、プラスチック製であり、入賞口に入賞した遊技球を集合させて入賞検出器へ誘導するためのリブを備え、遊技盤の裏面に装着される遊技盤装置において、前記入賞検出器に接続される制御ハーネスを覆って前記遊技盤装置の背面に固定される制御線樋を設けたので、弾球遊技機に対する不正行為の防止に役立つ。
【０００９】
不正行為の報道によれば、数秒の間に遊技制御基盤とそのコネクタとの間に信号生成回路を設けた基盤を入れて貸し遊技球を使用しないで不正遊技をするといったことが報じられている。しかし、本発明品では制御ハーネスを制御線樋で覆うので、不正装置を制御ハーネスに取り付けできない。よって、この種の不正行為を未然に防ぐことができる。
【００１０】
また、請求項２に記載の弾球遊技機の遊技盤装置は、請求項１記載の弾球遊技機の遊技盤装置において、前記制御ハーネスに設けられるコネクタを内部に納めて前記遊技盤装置の背面に固定されるコネクタ自動挿入部を設けたので、コネクタ部分に対するの不正行為も未然に防ぐことができる。
【発明を実施するための最良の形態】
【００１１】
本発明の遊技盤装置は、ＡＢＳ樹脂等の安価な材料で作成されると非常に合理的に作成が可能となる。
【００１２】
美観性を求めた場合、ポリカーボネート等の透明性の良いものを使用し、半濁状態にあるＡＢＳ樹脂よりは美観性が向上する。ただし、このポリカーボネートは軟弱性がないので蝶番部を金属やＡＢＳ樹脂等の材料で別付仕様とすれば良い。
【００１３】
本発明品の遊技盤装置は、入力線特に遊技に影響を及ぼす配線類が遊技盤装置とカバー内部に収納されるので表面をメッキすれば電波ノイズの対処が可能となる。
以下に本発明の好適な実施例を図面に基づいて説明をすることとするが、本発明の実施の形態は、下記の実施例に何ら限定されるものではなく、本発明の技術的範囲に属する限り様々な形態を採りうることはいうまでもない。
【００１４】
図１に示すように、本実施例のパチンコ機１０は、長方形の外枠１２と前面枠１３からなり、外枠１２の左隣にカードリーダ２０が設けられている。外枠１２と前面枠１３とに、左端上下にヒンジ１４が設けられ前面枠１３はヒンジ１４を支軸にして外枠１２対し開閉可能である。前面枠１３の下方には上皿１５が設けられ、この上皿１５に貸出ボタン２２、清算ボタン２３と残高表示部２４が取り付けられている。パチンコ機１０の左隣には、公知のカードリーダ２０が設けられカード口２１に図示しない有価価値のあるプリペードカードを挿入すると残高表示部２４にプリペードカードの内容が表示され貸出ボタン２２を任意に押せば遊技球の貸し出しが行われ上皿１５の図示しない払い出し口より排出される。前面枠１３は窓状に構成され、この窓状にされたところに金枠１８がやはり窓状で開放可能に装填されている。
【００１５】
窓状に形成された金枠１８は、波型サッシ状に形成されており、波型の中に透明な板ガラス１９が２重に入れられている。板ガラス１９の奥に詳細を後述する遊技盤１１が収められこの遊技盤１１に点線で図示する図柄表示装置２５が設けられている。上皿１５の前面枠１３下部には、下皿１６が取り付けられ、その下皿１６の右側に発射ハンドル１７が取り付けられている。この発射ハンドル１７の外周には、図示しない回動リングを擁していて、この回動リングを時計方向に回せば、上皿１５の遊技球を遊技盤１１に向けて発射することができる。遊技盤１１に遊技球を発射し、発射された遊技球が遊技盤１１内を様々な挙動により詳細を図示しない各入賞口に入賞するかまたは図３に示すアウト口７２に流れ、詳細を述べない遊技機設置島の内部に取り込まれる。各入賞口入賞すれば遊技球が賞品球として上皿１５に払い出され、さらに払い出しが続けば上皿１５に賞品球が積もって、満杯になり図示しないあふれ通路を経て下皿１６へあふれ落ちるようになっている。
【００１６】
図２は、パチンコ機１０の裏構図で、前面枠１３にわずかに望める形で遊技盤１１があり、その遊技盤１１を前面枠１３と包括するように機構盤２６が設けられている。機構盤２６の右側上部に外部接続端子７７が設けられその下には、払出装置カバー３５で覆われた点線で示す位置に払出装置３３が内蔵されており、その下に賞球通路３４や図示しないスピーカや入賞球カウント装置等が設置されている。前面枠１３の左端には発射装置３２が設けられ発射ハンドル１７に接続されており、前述したように発射ハンドル１７の回動リング操作でこの発射装置３２が作動する。機構盤２６には内枠制御装置２７が設けられ、この内枠制御装置２７には制御情報パネル２９の窓が設けられ、この制御情報パネル２９は内枠制御全般に渉って制御状況とトラブル等の表示を行っている。内枠制御装置２７の上部には遊技盤制御装置２８が設けられている。
【００１７】
内枠制御装置２７は、その下に電源コード３０が接続され本パチンコ機１０の電力を賄い、電源コード３０の右隣に貸球情報線３１が接続されカードリーダ２０に接続されている。内枠制御装置２７の電源コード３０の左隣には、制御線コネクタ７１に接続される遊技機制御線４２が設けられ、この遊技機制御線４２は遊技盤制御装置２８に接続されている。内枠制御装置２７の左側には枠出力線８１が接続されその一方を外部接続端子７７と、前面枠１３に設けられる図示しない装飾ランプおよび枠開放検出スイッチ等に接続されている。またこの枠出力線８１は、遊技盤１１を前面枠１３に設置したときに前面枠１３から出ている図示しないコードを差し込むことができ、大当たり等の装飾表示に利用されている。
【００１８】
パチンコ機１０に生成されるトラブル、遊技進行状況及び遊技盤制御情報や内枠制御情報はこの内枠制御装置２７で演算等を行って遊技機制御線４２から枠出力線８１、外部接続端子７７とを経て図示しない遊技場管理コンピュータに情報の送信と遊技場管理コンピュータからの制御情報の受信等し、その制御の実行するようにされている。その制御とは、例えば異常な賞品球の払い出しや過剰な賞品球の払い出し、電波ノイズ、金枠１８と前面枠１３の異常開放等の検出で遊技球の払い出しや発射を止める等の制御である。機構盤２６は略中央部を窓状に形成され、その窓の奥の位置に遊技盤１１の裏側に設けられる遊技盤装置３６が取り付けられている。遊技盤装置３６には図柄制御装置７４が遊技盤制御装置２８に覆い被さるように合体されると共に、内部で図示しない詳細を後述する基板コネクタにより接続されており、遊技盤制御装置２８の制御により図柄の変動制御が行われるようになっている。
【００１９】
遊技盤装置３６には図柄表示装置貫出口５８が開設され、開設された図柄表示装置貫出口５８から遊技盤１１の背面に設けられる図柄表示装置２５の後ろの部分が突出している。図柄表示装置２５の背面には、図柄表示装置接続コネクタ７５が設けられ、一方図柄制御装置７４にも設けられる図柄表示装置接続コネクタ７５とを図柄制御線７３でそれぞれを接続して、図柄の制御を行っている。図柄制御装置７４は、図柄表示装置２５と別個にされているので図柄表示装置２５の再利用可能であり、別の遊技盤に交換する際に図柄表示装置２５をその別の遊技盤に取り付ければ良く、別の遊技盤を製造するメーカーは図柄表示装置２５を取り付けないでパチンコ店に出荷し、別遊技盤を受領したパチンコ店は前回使用した図柄表示装置２５を取り付けることにより図柄表示装置２５を捨てなくて済むと言った優れた効果も持ち合わせている。機構盤２６には詳細を後述するセキュリティ装置４７が設けられており、そのセキュリティ装置４７には収納部６９とコネクタ自動挿入部４３が連接され、さらには、コネクタ自動挿入部４３に押さえられるように下制御線樋４０が付けられている。
【００２０】
下制御線樋４０は、その上に上制御線樋３９が接続され、下制御線樋４０と上制御線樋３９とは、屈曲可能な組み合わせ一体構成となってている。上制御線樋３９と下制御線樋４０との間には制御線開口部４１が設けられ、詳細を後述する蝶番部４５と共に屈折可能としている。遊技盤装置３６には開閉扉３７とロック装置３８が設けられ、ロック装置３８は左右に設けられている。開閉扉３７は境界部６５より蝶番部４５で開閉可能になっており、常時においてはロック装置３８で閉鎖固定されている。遊技盤装置３６には、基盤ロックレバー４４が設けられ遊技盤制御装置２８をこの基盤ロックレバー４４で着脱できるようにされており、詳細を後述する基盤ロックレバー４４を反遊技者側に引き上げると、図柄制御装置７４を伴った遊技盤制御装置２８を取り出す事ができる。次に遊技盤１１について図３に従って説明をすることとする。遊技盤１１はベニヤ板５７で構成されており、そのベニヤ板５７の表面には詳細を図示しない模様が刷り込んだセルロイド膜が張られており、そのベニヤ板５７の表面を装飾している。
【００２１】
遊技盤１１の略中央に図柄表示装置枠７８が図示しないビスで取り付けられており、この図柄表示装置枠７８は前述した図柄表示装置２５と一体的に合体されているから、図柄表示装置枠７８のビスを取り除くことで簡単に交換ができる。図柄表示装置枠７８の頂上には天入賞口７６が設けられ、その外側、つまり遊技盤１１の内周には略円形状に誘導レール４９が敷設されている。遊技盤１１の各所には複数個の入賞口４６が設けられ、天入賞口７６と各入賞口４６は共に遊技球が入球すると遊技盤１１の裏側へ流れ込むように詳細を図示しないテーパーが設けられているので容易に遊技球が内部に流れ込む。（この遊技球の入賞口に入る段階では賞品球が払い出されていないので入球と称する。）
遊技盤１１の最下部にはアウト口７２が設けられ、点線で示すアウト通路５０へ接続され、前述したように遊技球を発射すれば、その遊技球が天入賞口７６または各入賞口４６に入球するか、アウト口７２に流れ込む。次に上記した遊技盤１１の裏側を図４で説明し、遊技盤装置３６の機能を図５により図示しながら説明をする。前述した遊技盤１１の材料はベニヤ板５７で作られているが、このベニヤ板５７の特性ともいえる剥離木材を縦横に木目を合わせて接着されているので木質のばらつきのため反りが生じやすい、そこで上下左右に長さ略２０センチ、幅を１センチ、深さを１３ミリから１７ミリ位の切り欠きを設け、この切り欠きの反り防止溝４８を入れることで反りの発生を防止している。遊技盤１１の裏側に固着される遊技盤装置３６は、上側を上止着部６２、略中央左右を横止着部６３、下側を下止着部６４でそれぞれビスで固着されている。遊技盤装置３６に設けられる上制御線樋３９と下制御線樋４０は、それぞれの接続箇所を屈曲し易いように設けられた制御線開口部４１であり、その開口した制御線開口部４１のところから内部の制御ハーネス５２が見えている。
【００２２】
上制御線樋３９は反ビス８０で遊技盤装置３６の裏側から図示しないナットで固定され、下制御線樋４０はコネクタ自動挿入部４３で、これも遊技盤装置３６に固定されている。図５は遊技盤１１の左側面図であり、開閉扉３７を蝶番部４５からロック装置３８を外して開放した様子を示した図である。開閉扉３７には図５の点線で示すスライドレール７０が設けてあり、遊技盤制御装置２８と図柄制御装置７４の一体化した装置をこのスライドレール７０に沿って遊技盤１１の裏から見て左側から差し込んで基盤ロックレバー４４を遊技盤１１側にたおせば固定できるようになっている。（図９を参照）
次に図６により遊技盤装置３６の裏構造の説明をする。遊技盤装置３６の裏側には、各所に立直リブ５９、指定箇所には天誘導リブ５５、７個出リブ５３および１５個出リブ５４が設けてあり入賞した遊技球を図示しない入賞検出装置へ誘導するように設けられ、狭い箇所の立直リブ５９にはブレーキリブ５６が付けられている。図７がその立直リブ５９を立直頂点から見たブレーキリブ５６の設けられた様子を示した図である。
【００２３】
遊技盤装置３６には、配線口６１が設けられ反ビス８０のビス穴である反ビス穴８２も設けられ、遊技盤装置３６の裏面の一部に位置決ボス８５も設けられている。次に本発明の要点である内容を図４と図５に戻り説明をする。遊技盤装置３６は、その組み立て行程において上制御線樋３９と下制御線樋４０を取り付けるときに、制御ハーネス５２を中に入れて上制御線樋３９の反ビス穴８２に反ビス８０を押し込んで遊技盤装置３６の裏から図示しないナットで止める。下制御線樋４０は同じく制御ハーネス５２を覆い被せるようにしてから、その上にコネクタ自動挿入部４３で押さえて図示しないビスで止める。このときコネクタ自動挿入部４３は制御ハーネス５２に設けられる図示しないコネクタも内部に納める。このようにして制御ハーネス５２が取着されるので、ハーネスとコネクタが外部から簡単に取り出すことがでず、取付ビスも外す事ができない。したがって、コネクタやハーネスがカバーに覆われることとなるのでぶらさげ基盤の取付不正行為の防止におおいに役立つものである。
【００２４】
遊技盤装置３６の上部には外蝶番部５１が設けられており、外蝶番部５１が切欠部６０（図９参照）から自由に曲がるようにしてある。これは、遊技盤１１に遊技盤装置３６を止着するとき上止着部６２を最初に固定して、配線口６１より取り出したる制御ハーネス５２の図示しない一部の遊技盤１１に設けられる入賞口４６の入賞検出器に付け、図示しない電動役物のソレノイドやモータ等にも接続するようにするから特別に中継端子板などを必要とせずに組み付けることができる。それから遊技盤装置３６を遊技盤１１に押しつけて、まだ取着してない遊技盤装置３６の左右の横止着部６３と、下止着部６４をビスで固定させる。（図８参照）
遊技盤装置３６に付けられる開閉扉３７は、３辺の境界部６５から蝶番部４５を軸にして屈曲するので、ロック装置３８を外せば簡単に開放することが可能となる。この、開閉扉３７は大量に入球してくる図示しない大入賞口の役物で連珠結が生じても簡単に開放できるので連珠結の解除は非常に容易になる。遊技盤装置３６に設けられる立直リブ５９は、入球してきた遊技球を誘導する立直リブ５９に設けられるブレーキリブ５６により通過する遊技球のスピードが速いと遊技球の落下当たり面となる部分が破損する恐れがあるので通過スピードを抑えるのに役立っている。また立直リブ５９を設けると遊技球の通過スピードが抑えられることで、遊技盤装置３６の原料であるプラスチックをポリカネート等の高価な材料をＡＢＳなど、低価額の材料でまかなうことができるからコスト的に非常に有利になる。
【００２５】
遊技盤装置３６には、前述でその位置を示した位置決ボス８５が上部に２箇所下部に１箇所設けてあり上部２箇所は、遊技盤装置３６を遊技盤１１の裏に取り付けるとき用に遊技盤１１にもその位置に穴を設け、遊技盤装置３６の位置決ボス８５をこの遊技盤１１の穴に押し込めば簡単に位置決めができる。この位置決ボス８５はテーパー状にすると更にしっかりとした位置決めができるようになる。遊技盤装置３６は前述した上止着部６２、横止着部６３および下止着部６４の遊技盤装置取付穴７９が設けられ、それぞれの止着部からビスを挿入するとこの遊技盤装置取付穴７９に突出する。したがって、遊技盤装置３６を取り付けるときにはこの穴の表側からビスで止めれば良い。
【００２６】
図８と図９については図４と図５で詳細を説明したが、セキュリティ装置４７に付いては詳細が示していないので、このセキュリティ装置４７の詳細説明をすることとする。遊技盤装置３６には一部前述したセキュリティ装置４７が設けてあり、このセキュリティ装置４７の内部には、受部６７、出部６８およびセキュリティ盤６６が設けてある。このセキュリティ盤６６はコイン状をしており四枚装填され、遊技盤制御装置２８の図示しない先端部をセキュリティコネクタ８３に抜き挿しすることでセキュリティ盤６６の一枚が収納部６９に落下するようにされている。したがって一旦遊技盤制御装置２８と合体されている図柄制御装置７４を基盤座８４から外すと一枚のセキュリティ盤６６が収納部６９に落下するので、遊技盤制御装置２８と合体されている図柄制御装置７４を何回外したことの確認がとれて不正に遊技盤制御装置２８の内部のＲＯＭ等の変更を行ったことがわかるようになる。
【００２７】
実施例の遊技盤装置３６は、入賞検出器に接続される制御ハーネス５２を覆って遊技盤装置３６の背面に固定される制御線樋３９、４０を設けたので、弾球遊技機に対する不正行為の防止に役立つ。
【００２８】
また、遊技盤装置３６は、制御ハーネス５２に設けられるコネクタを内部に納めて遊技盤装置３６の背面に固定されるコネクタ自動挿入部４３を設けたので、コネクタ部分に対するの不正行為も未然に防ぐことができる。
【００２９】
以上述べた実施例には、この他にも優れた構成箇所があり、まず第一にセキュリティ装置を設けたことが挙げられ、不正遊技制御基盤の勝手な取り付けの監視ができる。
この監視システムは公に認められたメンテナンス要員しか遊技制御基盤の着脱が認められておらず、遊技制御基盤を着脱した旨をパチンコ機に明記して、なおかつ官憲にその報告をしなければならないといった義務も持たされているので本発明の遊技盤装置はこの点においても優れた効果があるものといえよう。第二に、反り防止の溝を設けたことが挙げられ、この反り防止の溝を設けたことは、遊技盤の原材料あるブナ材の枯渇でやむなくラワン材を一部使用をしている。
【００３０】
この一部使用するものはミックス材と称して遊技盤の基であるベニヤ板の製造段階でこのラワン材を中にして外部にブナ材を張り合わせるといった技術が開発され、このミックス材でベニヤ板が多く出回るようになった。ところが、ラワン材の欠点である素性構造が内部に細かい空間を擁しているので、張り合わせのための接着剤が染み込んだり、でなかったり接着剤の斑付きがあって遊技盤として使用しているとき過乾燥により異常な反りが発生してくる。これにより、反りの生じやすい位置と溝の深さやその幅を設定して溝を設けると、この溝で反りの力が収集され反りの防止ができるようになる。したがって、溝を設けた遊技盤を使用するパチンコ機はコスト的にも環境的にも非常に有効な手段であるといえよう。前述した、内枠制御線コネクタ７１とセキュリティコネクタ８３は共にメス型で内部に没設されており、内枠制御線コネクタ７１は図示しない内枠制御線コネクタ７１の取付部で基盤座８４にビスで固着され、セキュリティコネクタ８３は図示しないセキュリティコネクタ８３の取付部でセキュリティ装置４７にビスで固着されている。
【００３１】
内枠制御線コネクタ７１とセキュリティコネクタ８３は共に没設状態であり、相手側の遊技盤制御装置２８の図示しないコネクタ部も共にオス型にされているので置いて押し込んで基盤ロックレバー４４を倒すのみで簡単に設置ができる。これは、遊技盤制御装置２８の図示しない陥没箇所をスライドレール７０に置いて基盤ロックレバー４４に図示しない連接装置がこのスライドレール７０を右へ引きさらに基盤座８４の中に引き込む構造となっている。したがって、だれでも簡単に取り付け作業が行えるので組み立て作業工程の省力化が図れる。
【図面の簡単な説明】
【００３２】
【図１】実施例の本発明の遊技盤装置が取り付けてあるパチンコ機の前面図である。
【図２】実施例のパチンコ機の裏構図である。
【図３】実施例の遊技盤の遊技盤面図である。
【図４】実施例の遊技盤の裏側で、本発明の遊技盤装置を遊技盤に取り付けた状態を示した図である。
【図５】実施例の遊技盤の側面であり、開閉扉を少し開いた状態を示す。
【図６】実施例に示す遊技盤装置の遊技盤側から斜視した図である。
【図７】実施例のブレーキリブの設けられている状態を示した図である。
【図８】実施例のパチンコ機製造段階における遊技盤装置を遊技盤に取り付ける様子の説明用の斜視図である。
【図９】実施例の遊技盤制御装置と図柄制御装置の一体化した装置を外した様子を示す図である。
【符号の説明】
【００３３】
１０…パチンコ機、１１…遊技盤、１２…外枠、１３…前面枠、１４…ヒンジ、１５…上皿、１６…下皿、１７…発射ハンドル、１８…金枠、１９…板ガラス、２０…カードリーダ、２１…カード口、２２…貸出ボタン、２３…清算ボタン、２４…残高表示部、２５…図柄表示装置、２６…機構盤、２７…内枠制御装置、２８…遊技盤制御装置、２９…制御情報パネル、３０…電源コード、３１…貸球情報線、３２…発射装置、３３…払出装置３４…賞球通路、３５…払出装置カバー、３６…遊技盤装置、３７…開閉扉、３８…ロック装置、３９…上制御線樋、４０…下制御線樋、４１…制御線開口部、４２…遊技機制御線、４３…コネクタ自動挿入部、４４…基盤ロックレバー、４５…蝶番部、４６…入賞口、４７…セキュリティ装置、４８…反り防止溝、４９…誘導レール、５０…アウト通路、５１…外蝶番部、５２…制御ハーネス、５３…個出リブ、５４…個出リブ、５５…天誘導リブ、５６…ブレーキリブ、５７…ベニヤ板、５８…図柄表示装置貫出口、５９…立直リブ、６０…切欠部、６１…配線口、６２…上止着部、６３…横止着部、６４…下止着部、６５…境界部、６６…セキュリティ盤、６７…受部、６８…出部、６９…収納部、７０…スライドレール、７１…制御線コネクタ、７２…アウト口、７３…図柄制御線、７４…一方図柄制御装置、７４…図柄制御装置、７５…図柄表示装置接続コネクタ、７６…天入賞口、７７…外部接続端子、７８…図柄表示装置枠、７９…遊技盤装置取付穴、８０…反ビス、８１…枠出力線、８２…反ビス穴、８３…セキュリティコネクタ、８４…基盤座、８５…位置決ボス。
【図１】
2008023356.tif 000003
【図２】
2008023356.tif 000004
【図３】
2008023356.tif 000005
【図４】
2008023356.tif 000006
【図５】
2008023356.tif 000007
【図６】
2008023356.tif 000008
【図７】
2008023356.tif 000009
【図８】
2008023356.tif 000010
【図９】
2008023356.tif 000011